(57)【要約】【課題】エンジン始動時及びエンジン停止時の車体振動を低減するエンジン始動・停止制御装置を提供する。【解決手段】ディーゼルエンジンの燃焼室２の内外間を連通させるために開閉されるバルブ３と、バルブ３を駆動するアクチュエータ４と、アクチュエータ４を制御して、エンジン始動時及びエンジン停止時の所定期間、バルブ３を開くことにより、ディーゼルエンジンの回転による起振力を低減する制御部５とを備えた。【選択図】図１
2011179365.tif 000002
【特許請求の範囲】
【請求項１】
ディーゼルエンジンの燃焼室の内外間を連通させるために開閉されるバルブと、
前記バルブを駆動するアクチュエータと、
前記アクチュエータを制御して、エンジン始動時及びエンジン停止時の所定期間、前記バルブを開くことにより、前記ディーゼルエンジンの回転による起振力を低減する制御部とを備えたことを特徴とするエンジン始動・停止制御装置。
【請求項２】
前記所定期間は、少なくともエンジン回転数がパワープラントの共振周波数に相当する回転数をまたいで遷移する時期を含むことを特徴とする請求項１記載のエンジン始動・停止制御装置。
【請求項３】
エンジン始動時には、エンジン始動指令と同時に前記バルブを開き、エンジン回転数があらかじめ設定された閾値に達したとき前記バルブを閉じることを特徴とする請求項１又は２記載のエンジン始動・停止制御装置。
【請求項４】
エンジン停止時には、エンジン停止指令と同時に前記バルブを開くことを特徴とする請求項１〜３いずれか記載のエンジン始動・停止制御装置。
【請求項５】
前記バルブは、燃焼サイクル中の吸排気のために所定のクランク角で開閉されるよう設定された吸気バルブ及び／又は排気バルブであり、前記所定期間のみ、前記設定に加えて前記所定期間に開かれることを特徴とする請求項１〜４いずれか記載のエンジン始動・停止制御装置。
【請求項６】
前記バルブは、燃焼サイクル中の吸排気のために所定のクランク角で開閉されるよう設定された吸気バルブ及び排気バルブとは別途に設けたバルブであることを特徴とする請求項１〜４いずれか記載のエンジン始動・停止制御装置。
【発明の詳細な説明】
【技術分野】
【０００１】
本発明は、ディーゼルエンジンのエンジン始動・停止制御装置に係り、エンジン始動時及びエンジン停止時の車体振動を低減するエンジン始動・停止制御装置に関する。
【背景技術】
【０００２】
ディーゼルエンジンは、軽油の着火に好適な圧縮比がガソリンに好適な圧縮比よりも高いため、高圧縮となる。図６に示されるように、ディーゼルエンジンにおける筒内圧のピークは、ガソリンエンジンのそれに比べ５〜７倍大きい。例えば、ディーゼルエンジンでは、上死点、すなわちクランク角が０°のとき、筒内圧は４ＭＰａにも達する。
【先行技術文献】
【特許文献】
【０００３】
【特許文献１】特開２００６−１１２３６６号公報
【発明の概要】
【発明が解決しようとする課題】
【０００４】
ディーゼル車において、エンジン始動あるいはエンジン停止を行うとき、車体振動が大きく、不快である。車体振動が大きいのは、エンジン始動時に無回転からアイドル回転に至る途中で、エンジン回転数に随伴して変化するパワープラント（エンジン本体とトランスミッションを含むエンジンマウント上の全体）における振動の周波数がパワープラントの共振周波数を通過するからである。エンジン停止時には、逆にアイドル回転から無回転に至る途中で、パワープラントの振動の周波数がパワープラントの共振周波数を通過する。パワープラントが大きく振動することにより、大きな車体振動が発生する。なお、本明細書では、「エンジン停止時」とは、運転されているエンジンが停止される時の意味である。エンジンが停止したままの状態は、エンジン停止状態という。
【０００５】
図７にエンジン始動時における車体振動の様子をグラフで示す。エンジン回転数が０から上昇するにつれて、パワープラントの振動の周波数が上昇する。周波数がパワープラントの共振周波数Ｆｒの近傍にあるとき、車体振動が顕著に大きいことが分かる。なお、パワープラントは、その共振周波数Ｆｒがアイドル回転数Ｒｉに対応する周波数Ｆｉより低くなるよう設計されている。これにより、アイドル回転数Ｒｉやそれより高いエンジン回転数にてパワープラントが共振することが回避されている。従って、エンジン始動時やエンジン停止時にパワープラントが一時的に共振してしまう。
【０００６】
そこで、本発明の目的は、上記課題を解決し、エンジン始動時及びエンジン停止時の車体振動を低減するエンジン始動・停止制御装置を提供することにある。
【課題を解決するための手段】
【０００７】
上記目的を達成するために本発明は、ディーゼルエンジンの燃焼室の内外間を連通させるために開閉されるバルブと、前記バルブを駆動するアクチュエータと、前記アクチュエータを制御して、エンジン始動時及びエンジン停止時の所定期間、前記バルブを開くことにより、前記ディーゼルエンジンの回転による起振力を低減する制御部とを備えたものである。
【０００８】
前記所定期間は、少なくともエンジン回転数がパワープラントの共振周波数に相当する回転数をまたいで遷移する時期を含んでもよい。
【０００９】
エンジン始動時には、エンジン始動指令と同時に前記バルブを開き、エンジン回転数があらかじめ設定された閾値に達したとき前記バルブを閉じてもよい。
【００１０】
エンジン停止時には、エンジン停止指令と同時に前記バルブを開いてもよい。
【００１１】
前記バルブは、燃焼サイクル中の吸排気のために所定のクランク角で開閉されるよう設定された吸気バルブ及び／又は排気バルブであり、前記所定期間のみ、前記設定に加えて前記所定期間に開かれてもよい。
【００１２】
前記バルブは、燃焼サイクル中の吸排気のために所定のクランク角で開閉されるよう設定された吸気バルブ及び排気バルブとは別途に設けたバルブであってもよい。
【発明の効果】
【００１３】
本発明は次の如き優れた効果を発揮する。
【００１４】
（１）エンジン始動時及びエンジン停止時の車体振動を低減することができる。
【図面の簡単な説明】
【００１５】
【図１】本発明の一実施形態によるエンジン始動・停止制御装置を示すバルブ開時とバルブ閉時の構造図である。
【図２】本発明のエンジン始動・停止制御装置のエンジン始動時における各部信号の時刻歴を示すタイミングチャートである。
【図３】本発明のエンジン始動・停止制御装置のエンジン停止時における各部信号の時刻歴を示すタイミングチャートである。
【図４】本発明のエンジン始動時におけるエンジン回転数と車体振動の遷移を示すグラフである。
【図５】本発明の一実施形態によるエンジン始動・停止制御装置を示す１燃焼サイクル中の構造図である。
【図６】ディーゼルエンジンとガソリンエンジンのクランク角に対する筒内圧の特性グラフである。
【図７】従来のディーゼルエンジンのエンジン始動時におけるエンジン回転数と車体振動の遷移を示すグラフである。
【発明を実施するための形態】
【００１６】
以下、本発明の一実施形態を添付図面に基づいて詳述する。
【００１７】
図１に示されるように、本発明に係るエンジン始動・停止制御装置１は、ディーゼルエンジンの燃焼室２の内外間を連通させるために開閉されるバルブ３と、バルブ３を駆動するアクチュエータ４と、アクチュエータ４を制御して、エンジン始動時及びエンジン停止時の所定期間、バルブ３を開くことにより、ディーゼルエンジンの回転による起振力を低減する制御部５とを備える。
【００１８】
燃焼室２には、ピストン６に対向するシリンダヘッド部分７に吸気バルブ３ａと排気バルブ３ｂが設けられる。吸気バルブ３ａは、燃焼室２がインテークマニホールド８に通じるように開閉されるものである。排気バルブ３ｂは、燃焼室２がエキゾーストマニホールド９に通じるように開閉されるものである。吸気バルブ３ａ及び排気バルブ３ｂは、燃焼サイクル中の吸排気のために、ピストン６の往復動作と同期して所定のクランク角で開閉されるよう設定されたものであり、図示しないカム機構により駆動される。
【００１９】
本実施形態では、バルブ３は、吸気バルブ３ａ及び排気バルブ３ｂとは別途に設けたバルブ（以下、燃焼室開放バルブという）３ｃである。バルブ３は、燃焼室２の外側で配管に接続する必要はなく、直接、燃焼室２を大気開放するように構成してよい。
【００２０】
アクチュエータ４は、燃焼室開放バルブ３ｃを燃焼室２内に押し込むことにより、燃焼室開放バルブ３ｃを開き、燃焼室開放バルブ３ｃを引いてシリンダヘッド部分７に密着させることにより、燃焼室開放バルブ３ｃを閉じるようにストローク運動するものである。アクチュエータ４としては、ソレノイド、油圧シリンダ、モータなどがある。
【００２１】
制御部５は、プログラム式のデジタル回路であり、アクチュエータ４を制御して燃焼室開放バルブ３ｃを開閉させることができる。制御部５は、車両の燃料噴射等を制御する電子制御装置（ＥＣＵ）に組み込むのが好ましい。制御部５は、エンジン始動時及びエンジン停止時の所定期間、燃焼室開放バルブ３ｃを開くようになっている。ここでは、エンジン始動時には、エンジン始動指令と同時に燃焼室開放バルブ３ｃを開き、エンジン回転数があらかじめ設定された閾値に達したとき燃焼室開放バルブ３ｃを閉じるものとする。エンジン停止時には、エンジン停止指令と同時に燃焼室開放バルブ３ｃを開き、エンジン停止状態になった後など適宜なときに、燃焼室開放バルブ３ｃを閉じるものとする。
【００２２】
エンジン始動指令と同時とは、具体的には、キースイッチ操作からのエンジン始動時において、イグニッション信号がオフからオンに転じたときを指し、アイドル停止機能を有する車両の場合、ＥＣＵ内のアイドル停止解除信号（アイドル停止を解除してエンジンを再始動させる信号）がオフからオンに転じたときも含む。エンジン停止指令と同時とは、具体的には、キースイッチ操作からのエンジン停止時において、イグニッション信号がオンからオフに転じたときを指し、アイドル停止機能を有する車両の場合、ＥＣＵ内のアイドル停止信号（アイドル停止条件成立時にエンジンを停止させる信号）がオフからオンに転じたときも含む。
【００２３】
エンジン始動時に燃焼室開放バルブ３ｃを閉じるエンジン回転数の閾値としては、燃焼室開放バルブ３ｃを開いている期間が少なくともエンジン回転数がパワープラントの共振周波数に相当する回転数をまたいで遷移する時期を含むようにする。一例として、エンジン回転数がアイドル回転数に達したときに燃焼室開放バルブ３ｃを閉じるとよい。
【００２４】
次に、エンジン始動・停止制御装置１の動作を説明する。
【００２５】
まず、エンジン始動時について図２を用いて説明する。
【００２６】
エンジン停止状態において、イグニッション信号がオフからオンに転じたとき、ただちに制御部５は、アクチュエータ４を非作動から作動に制御する。これにより、燃焼室開放バルブ３ｃが閉から開になる。一方、イグニッション信号がオフからオンに転じたことにより、エンジン始動が開始され、エンジン回転数は上昇するが、エンジン回転数が閾値に達するまでは、制御部５は、アクチュエータ４を作動している状態に保つ。
【００２７】
燃焼室２内でのピストン６の往復動作とカム機構による吸気バルブ３ａ及び排気バルブ３ｂの動作においては、圧縮行程に入ると、吸気バルブ３ａ及び排気バルブ３ｂは共に閉じられる。したがって、従来であれば図６のようにクランク角が上死点に近づくと、筒内圧が高まる。ところが、本発明では、図１のようにアクチュエータ４が作動しているバルブ開の期間、燃焼室開放バルブ３ｃが開であるため、筒内圧が高まらない。この結果、エンジン回転による起振力が低減される。
【００２８】
図２に示されるように、エンジン回転数が閾値に達すると、制御部５は、アクチュエータ４を非作動に制御する。これにより、燃焼室開放バルブ３ｃが開から閉になる。燃焼室開放バルブ３ｃが閉になった後には、ピストン６の往復動作とカム機構による吸気バルブ３ａ及び排気バルブ３ｂの動作により、吸気、圧縮、膨張、排気が行われるので、エンジンは適切に始動される。
【００２９】
図２の筒内圧に注目すると、燃焼室開放バルブ３ｃが開の期間はピークが小さく、燃焼室開放バルブ３ｃが閉になるとピークが大きくなる。すなわち、エンジン停止状態からエンジン回転数が閾値に達するまでの期間は、エンジン回転数が閾値に達した後に比べて、筒内圧が高くならない。このような制御手順と筒内圧のふるまいは、アイドル停止解除信号がオフからオンに転じたときも、同じである。
【００３０】
エンジン停止時について図３を用いて説明する。
【００３１】
イグニッション信号がオンからオフに転じたとき、ただちに制御部５は、アクチュエータ４を非作動から作動に制御する。これにより、燃焼室開放バルブ３ｃが閉から開になる。
【００３２】
筒内圧に注目すると、燃焼室開放バルブ３ｃが閉のときはピークが大きく、燃焼室開放バルブ３ｃが開の期間に入るとピークが小さくなる。すなわち、エンジン停止時には、筒内圧が高くならない。このような制御手順と筒内圧のふるまいは、図３の括弧内に示したように、アイドル停止信号がオフからオンに転じたときも、同じである。
【００３３】
次に、本発明の効果を図４と図７を比較しつつ説明する。
【００３４】
図４及び図７は、横軸に時間をとり、縦軸に車体振動（例えば、加速度センサで検出した加速度から求めた上下、左右、前後、ロール、ヨー、ピッチいずれかの変位）をとり、エンジン始動時の車体振動の遷移を示したグラフである。時間軸に併せて、エンジン回転数と、パワープラントの振動の周波数を示してある。
【００３５】
図７のように、従来は、エンジン回転数が０からアイドル回転数Ｒｉに至る過程で、パワープラントの振動の周波数がパワープラントの共振周波数Ｆｒを通過するとき、車体振動が顕著となり、不快であった。これに対し、本発明では、図４に示されるように、エンジン回転数がＲｒであってパワープラントの振動の周波数がＦｒのときであっても、車体振動は小さいままである。これは、エンジン回転数がＲｒに達した時期が燃焼室開放バルブ３ｃが開の期間中にあるからである。燃焼室開放バルブ３ｃが開であるため、圧縮行程において筒内圧が高まらず、エンジン回転による起振力が低減されてパワープラントの振動が小さく、よって、車体振動の振幅も小さく、快適となる。
【００３６】
燃焼室開放バルブ３ｃを閉に戻すためのエンジン回転数の閾値は、パワープラントの共振周波数Ｆｒに相当するエンジン回転数Ｒｒより十分高いことが必要であり、アイドル回転数Ｒｉ以下が好ましく、実験等により適宜設定するとよい。
【００３７】
図には示さなかったが、エンジン停止時にはエンジン回転数がアイドル回転数Ｒｉまたはアイドル回転数Ｒｉより高い回転数から０に至るので、ちょうど図４及び図７を右から左に見るように、パワープラントの振動の周波数がパワープラントの共振周波数Ｆｒを通過する。このため、従来は、車体振動が大きく、不快であったが、本発明では、パワープラントの振動の周波数がパワープラントの共振周波数Ｆｒを通過するときも車体振動の振動が小さく、快適となる。
【００３８】
以上説明したように、本発明に係るエンジン始動・停止制御装置１によれば、エンジン始動時及びエンジン停止時の所定期間、燃焼室開放バルブ３ｃを開くことにより、エンジン回転による起振力を低減するようにしたので、パワープラントの振動の周波数がパワープラントの共振周波数Ｆｒを通過するときにパワープラントの振動が小さく押さえられ、車体振動の振幅が低減される。
【００３９】
次に、本発明の他の実施形態を説明する。
【００４０】
前記実施形態では、筒内圧を低下させるためのバルブ３として、吸気バルブ３ａ及び排気バルブ３ｂとは別途に燃焼室開放バルブ３ｃを設けたが、ここでは、吸気バルブ３ａもしくは排気バルブ３ｂを利用して筒内圧を低下させる。すなわち、吸気バルブ３ａ及び排気バルブ３ｂは、燃焼サイクル中の吸排気のために所定のクランク角で開閉されるようカム機構にて設定されているが、所定期間のみ、前記設定に加えて吸気バルブ３ａもしくは排気バルブ３ｂが開かれるようにする。このためには、図示しないアクチュエータにより吸気バルブ３ａもしくは排気バルブ３ｂをカム機構の設定とは異なるタイミングで開く必要がある。従来より、圧縮開放ブレーキ機構や可変バルブタイミング機構としてこのようなアクチュエータが設けられているので、このアクチュエータを本発明に利用する。
【００４１】
図５に示されるように、吸気行程において、吸気バルブ３ａを開き、排気バルブ３ｂを閉じ、ピストン６を燃焼室２のエンド側（図示下方）に移動させることにより、吸気が行われる。圧縮行程において、吸気バルブ３ａを閉じ、排気バルブ３ｂを閉じ、燃料噴射はしない状態にて、ピストン６を燃焼室２のヘッド側に移動させることにより、圧縮が行われる。
【００４２】
従来であれば、上死点に至るまでが圧縮行程であり、上死点から膨張行程に移行するが、本発明では、圧縮行程において上死点前の適宜なクランク角にて、圧縮開放の動作が行われる。すなわち、ピストン６が上死点に近づいてくる途中、排気バルブ３ｂを開く。さらに、膨張行程において上死点後の適宜なクランク角まで圧縮開放の動作を続け、それから排気バルブ３ｂを閉じて本来の膨張行程に入る。
【００４３】
膨張行程においては、吸気バルブ３ａを閉じ、排気バルブ３ｂを閉じ、ピストン６を燃焼室２のエンド側に移動させることにより、膨張が行われる。排気行程では、吸気バルブ３ａを閉じ、排気バルブ３ｂを開き、ピストン６を燃焼室２のヘッド側に移動させることにより、排気が行われる。なお、圧縮開放の動作において開くバルブは、排気バルブ３ｂのみに限らず、吸気バルブ３ａのみを開いてもよく、吸気バルブ３ａ及び排気バルブ３ｂを共に開いてもよい。
【００４４】
この実施形態においても、エンジン始動時及びエンジン停止時の所定期間、吸気バルブ３ａもしくは排気バルブ３ｂを開くことにより、エンジン回転による起振力を低減するようにしたので、パワープラントの振動の周波数がパワープラントの共振周波数Ｆｒを通過するときにパワープラントの振動が小さく押さえられ、車体振動の振幅が低減される。
【符号の説明】
【００４５】
１  エンジン始動・停止制御装置
２  燃焼室
３  バルブ
３ａ  吸気バルブ
３ｂ  排気バルブ
３ｃ  燃焼室開放バルブ
４  アクチュエータ
５  制御部
６  ピストン
【図１】
2011179365.tif 000003
【図２】
2011179365.tif 000004
【図３】
2011179365.tif 000005
【図４】
2011179365.tif 000006
【図５】
2011179365.tif 000007
【図６】
2011179365.tif 000008
【図７】
2011179365.tif 000009